(57)【要約】【課題】  迅速に解錠できる錠装置を提供する。【解決手段】  本発明の錠装置は、扉２に扉錠３を取り付け、出入り口の枠４に係止部材５を取り付け、扉錠３と係止部材５を鎖６で所定量だけ開放可能に連結する。鎖６は、一方を係止部材５に連結し、他方に係止具１０を連結する。扉錠３の前面には、上下方向に延びる係合溝１６を形成し、係合溝１６に係止具１０が抜け止め状態で嵌め込まれる。扉錠３内には、係止具１０を受け止める枠体２４と、枠体２４を前側へ付勢する板バネ部２５を有する。扉錠３の前面には、板バネ部２５の付勢力に抗して枠体２４を後方へ押し込むための釦２３を配置する。そして、釦２３を押して枠体２４を後方へ押し込んだときに、枠体２４による係止具１０の受け止め状態が解除され、係止具１０が係合溝１６の下端の排出部１８から排出される。【選択図】  図１
2012237097.tif 000002
【特許請求の範囲】
【請求項１】
出入り口に配置する扉（２）およびその出入り口の枠（４）のいずれか一方に扉錠（３）を取り付け、他方に係止部材（５）を取り付け、その扉錠（３）と係止部材（５）とを連結部材（６）によって所定量だけ開放可能な状態で連結することで施錠する錠装置であって、
連結部材（６）は、その一方を係止部材（５）に連結するとともに、他方に係止具（１０）を連結しており、
上下方向に延びる係合溝（１６）を扉錠（３）の前面に形成していて、その係合溝（１６）に係止具（１０）が抜け止め状態で上下方向に移動可能に嵌め込まれるようになっており、
係合溝（１６）の下端には、係止具（１０）を係合溝（１６）から排出するための排出部（１８）を設けており、
扉錠（３）内には、係合溝（１６）に嵌め込んだ係止具（１０）を受け止める受止部（２４）と、その受止部（２４）を前側へ付勢する付勢部（２５）とを有しており、
扉錠（３）の前面には、付勢部（２５）の付勢力に抗して受止部（２４）を後方へ押し込むための釦（２３）を配置しており、
釦（２３）を押して受止部（２４）を後方へ押し込んだときには、受止部（２４）による係止具（１０）の受け止め状態が解除されることを特徴とする錠装置。
【請求項２】
係合溝（１６）の上端には、係止具（１０）を係合溝（１６）に嵌め込むための挿入口（１７）を設けており、
受止部（２４）には、挿入口（１７）を開閉するための蓋部（２２）を設けており、
付勢部（２５）の付勢力に抗して蓋部（２２）を後方へ押し込むことで挿入口（１７）が開かれることを特徴とする請求項１記載の錠装置。
【請求項３】
排出部（１８）には、係合溝（１６）に嵌め込まれている係止具（１０）を扉錠（３）外へ案内するためのガイド部（１９）を設けていることを特徴とする請求項１または２記載の錠装置。
【発明の詳細な説明】
【技術分野】
【０００１】
本発明は、出入り口を開閉する扉に配置し、一定量以上に扉が開放されることを防止する錠装置に関するものである。
【背景技術】
【０００２】
特許文献１には、扉に取り付けるとともに縦長の係止溝を配した中空の本体と、前記係止溝の上端に設けた円形の孔から当該係止溝に挿入される係止体と、一端を扉の枠に取り付けるとともに他端に前記係止体を取り付けている鎖とから構成している錠装置を開示している。
【０００３】
特許文献１の錠装置では、係止体を係止溝から離脱させるための脱出口を係止溝の下端に設けており、その脱出口を閉止具によって開閉操作するようになっている。そして、特許文献１の錠装置では、閉止具を回転させて脱出口を開放することで（特許文献１の第３図参照）、係止体が脱出口から排出され、これによって解錠されることになる。
【先行技術文献】
【特許文献】
【０００４】
【特許文献１】実開平２−１１２８６７号公報
【発明の概要】
【発明が解決しようとする課題】
【０００５】
特許文献１の錠装置では、閉止具を回転させて脱出口を開放するようになっているために、その閉止具を回転させる手間の分だけ解錠に時間がかかってしまい、火事などの緊急事態の際に迅速な解錠が困難であるといった問題がある。
【０００６】
本発明は、かかる不都合を解決することを目的とするものであり、迅速に解錠できる錠装置を提供することにある。
【課題を解決するための手段】
【０００７】
本発明は、前記不都合を解決するものである。すなわち本発明は、出入り口に配置する扉２およびその出入り口の枠４のいずれか一方に扉錠３を取り付け、他方に係止部材５を取り付け、その扉錠３と係止部材５とを連結部材６によって所定量だけ開放可能な状態で連結することで施錠する錠装置であって、連結部材６は、その一方を係止部材５に連結するとともに、他方に係止具１０を連結しており、また上下方向に延びる係合溝１６を扉錠３の前面に形成していて、係合溝１６に係止具１０が抜け止め状態で上下方向に移動可能に嵌め込まれるようになっており、係合溝１６の下端には、係止具１０を係合溝１６から排出するための排出部１８を設けており、扉錠３内には、係合溝１６に嵌め込んだ係止具１０を受け止める受止部２４と、その受止部２４を前側へ付勢する付勢部２５とを有しており、扉錠３の前面には、付勢部２５の付勢力に抗して受止部２４を後方へ押し込むための釦２３を配置しており、釦２３を押して受止部２４を後方へ押し込んだときには、受止部２４による係止具１０の受け止め状態が解除されることを特徴とする。扉２には、横方向にスライドさせて開閉する引き戸や、前後方向に開閉する開き戸などが該当する。連結部材６としては、鎖やバー（棒状体）などが該当する。付勢部２５には、板バネやコイルバネなどが該当する。
【０００８】
詳しくは、係合溝１６の上端に、係止具１０を係合溝１６に嵌め込むための挿入口１７を設けており、受止部２４に、挿入口１７を開閉するための蓋部２２を設けており、付勢部２５の付勢力に抗して蓋部２２を後方へ押し込むことで挿入口１７が開かれる。
【０００９】
排出部１８には、係合溝１６に嵌め込まれている係止具１０を扉錠３外へ案内するためのガイド部１９を設けているものとすることができる。
【発明の効果】
【００１０】
本発明の錠装置は、扉錠３の係合溝１６に係止具１０を嵌め込むことで施錠状態となり、この施錠状態で所定量だけ扉２を開放することができる。この施錠状態のときには、係止具１０は受止部２４に受け止められて保持されている。そして、付勢部２５の付勢力に抗して釦２３を押して受止部２４を後方へ押し込むと、受止部２４による係止具１０の受け止め状態が解除される。すると、係止具１０は、自重で係合溝１６の下端側へ移動して排出部１８から排出される（解錠される）。このように、釦２３を押すだけといった簡単な操作で解錠できるので、例えば、火事などの緊急事態の際に迅速に解錠して外へ脱出することができる。
【００１１】
係合溝１６の上端の挿入口１７を開閉する蓋部２２を受止部２４に設けると、例えば係止具１０で蓋部２２を付勢部２５の付勢力に抗して後方へ押し込むことで挿入口１７が開かれて、係止具１０を係合溝１６に嵌め込むことが可能になる。これによって挿入口１７を開閉する部材と係止具１０を受け止める部材とが一まとまりになって、これらの部材を別々に構成する場合よりもコンパクト化が図れる。
【００１２】
排出部１８に、係止具１０を扉錠３外へ案内するためのガイド部１９を設けていると、解錠の際に係止具１０を確実に排出部１８から排出することができる。
【図面の簡単な説明】
【００１３】
【図１】本発明にかかる錠装置の正面図である。
【図２】図１のＡ―Ａ線矢視断面図である。
【図３】本発明の錠装置にかかる扉錠の内部を示す正面図である。
【図４】図１のＢ―Ｂ線矢視断面図である。
【図５】本発明の錠装置の動作を説明するための図２の相当図である。
【発明を実施するための形態】
【００１４】
本発明に係る錠装置の実施例を図１ないし図５に基づいて説明する。本発明の錠装置は玄関などの出入り口に配置するようになっており、図１に示すように、前記出入り口に配置する扉２にビスなどで取り付ける扉錠３と、前記出入り口の枠４に取り付ける係止部材５と、その係止部材５と扉錠３とを所定量（例えば１０ｃｍ）だけ開放可能な状態で連結して施錠するための鎖（連結部材）６とを有している。鎖６は、その一方（一端）を係止部材５に連結するとともに、他方（他端）に係止具１０を連結している。その係止具１０は、扉錠３に着脱可能に係止されるようになっている。
【００１５】
係止具１０は、図２に示すように、円環状の連結リング１１と、その連結リング１１を貫通させて係止している円柱形状の把持部１２と、その把持部１２の後端(図２では右側)に形成している鍔部１２ａから後方に延びる円柱形状の首部１３と、その首部１３の後端に形成している円板形状の抜止部１４とからなる。首部１３の直径は、抜止部１４および把持部１２の鍔部１２ａの直径よりも小さくなっている。
【００１６】
扉錠３は、図１および図２に示すように、上下方向に長く（縦長に）なっており、その中央部が前方に隆起することで、扉錠３内に内部空間８を形成している。扉錠３の前面には、上下方向に延びていて、係止具１０が抜け止め状態で上下方向に移動可能に嵌め込まれる係合溝１６を形成している。係合溝１６の上端には、係止具１０の抜止部１４を内部空間８内に挿入して係止具１０の首部１３を係合溝１６に嵌め込むための円形状の挿入口１７を設けている。
【００１７】
係合溝１６の左右の幅は、係止具１０の首部１３の直径よりも大きくなっている一方で、抜止部１４および把持部１２の鍔部１２ａの直径よりも小さくなっている。これによって、挿入口１７に係止具１０の抜止部１４を挿入して首部１３を係合溝１６に嵌め込んだときには前記の抜け止め状態となって、当該抜止部１４が扉錠３から前方へ抜け出ることが防がれる。挿入口１７の直径は、係止具１０の抜止部１４の直径よりも大きくなっている。
【００１８】
係合溝１６の下端には、係止具１０を係合溝１６から排出するための円形状の排出口（排出部）１８を設けている。排出口１８の直径は、係止具１０の抜止部１４の直径よりも大きくなっている。内部空間８内であって排出口１８の下端に位置する箇所にはガイド部１９を設けており、そのガイド部１９によって、係合溝１６に嵌め込まれている係止具１０の抜止部１４が排出口１８から扉錠３外へ案内される。
【００１９】
扉錠３の内部空間８内には、図２および図３に示すように、係合溝１６に沿って上下方向に延びていて係止具１０を受け止める四角形の枠体(受止部)２４と、その枠体２４の上端左右に設けていて枠体２４を前側へ付勢する一対の板バネ部（付勢部）２５・２５とを有している。つまり、枠体２４は、その内方に係止具１０の抜止部１４を嵌め込み可能になっており、その嵌め込んだ状態で下枠２４ａによって係止具１０の抜止部１４を受け止める（図２および図３の状態）。
【００２０】
扉錠３の内部空間８内であって挿入口１７に臨む位置（枠体２４の上端側）には、挿入口１７を開閉するための蓋部２２を設けており、また扉錠３の前面には、板バネ部２５・２５の付勢力に抗して枠体２４を後方へ押し込むための釦２３を配置している。蓋部２２と釦２３と板バネ部２５・２５とは、枠体２４に一体形成している（図２および図３参照）。釦２３の前部は、扉錠３外へ突出している。
【００２１】
そして、例えば係止具１０で蓋部２２を板バネ部２５・２５の付勢力に抗して後方へ押し込むことで、または釦２３を板バネ部２５・２５の付勢力に抗して後方へ押し込むことで挿入口１７が開いて、係止具１０の抜止部１４を扉錠３の内部空間８内に挿入することができる。また、釦２３を板バネ部２５・２５の付勢力に抗して後方へ押し込んだ状態で、係止具１０の抜止部１４を挿入口１７から取り出すことができる。
【００２２】
また、釦２３を板バネ部２５・２５の付勢力に抗して後方へ押し込んだときには、それに連動して枠体２４が後方へ押し込まれる（図５の状態）。これに伴って下枠２４ａが係止具１０の抜止部１４から外れて、枠体２４による係止具１０の受け止め状態が解除されて、係止具１０が自重によって排出口１８側へ移動して排出口１８から排出される（解錠される）。
【００２３】
係止部材５は、図１および図４に示すように、上下方向に延びる長板で形成しており、その上下方向の中間を前方に隆起することで係止部２７を形成している。その係止部２７に鎖６の他方（他端）を連結している。係止部２７の上端部２８は、前方に折れ曲がった状態で二股状に分かれており、その上端部２８に、係止具１０を掛けて保持することが可能になっている。
【００２４】
このように、釦２３を後方へ押し込むといった簡単な操作で解錠することができるので、火事などの緊急事態の際には迅速に解錠することができる。
【００２５】
なお、扉２に係止部材５を取り付け、出入り口の枠４に扉錠３を取り付けてもよい。また、係止具１０を受け止めるものとしては、前述の枠体２４以外の形状のものであってもよい。
【符号の説明】
【００２６】
２  扉
３  扉錠
４  出入り口の枠
５  係止部材
６  鎖
１０  係止具
１６  係合溝
１７  挿入口
１８  排出口
１９  ガイド部
２２  蓋部
２３  釦
２４  枠体
２５  板バネ部
【図１】
2012237097.tif 000003
【図２】
2012237097.tif 000004
【図３】
2012237097.tif 000005
【図４】
2012237097.tif 000006
【図５】
2012237097.tif 000007